(57)【要約】【課題】エンジンの稼働状態を正確に検出でき、これによってエンジンのメンテナンスのタイミングを正しく設定可能にする。【解決手段】エンジン１の回転数を測定する回転数測定手段７と、回転数測定手段７で測定された回転数を積算する回転数積算手段８とを有し、回転数積算手段８で積算された回転数の積算値を表示手段１１に表示させる。【選択図】　　　　図１
2004100611.tif 000002
【特許請求の範囲】
【請求項１】
エンジンの回転数を測定する回転数測定手段（７）と、該回転数測定手段（７）で測定された回転数を積算する回転数積算手段（８）と、該回転数積算手段（８）で積算された回転数の積算値を表示する表示手段（１１）とを備えたことを特徴とするエンジンの稼働状態検出装置。
【請求項２】
前記回転数積算手段（８）で得られた設定時間ごとの回転数の積算値の平均値を求めて表示手段（１１）に表示させる平均回転数演算手段（９）を設けたことを特徴とする請求項１に記載のエンジンの稼働状態検出装置。
【発明の詳細な説明】
【０００１】
【発明の属する技術分野】
本発明は、エンジンの稼働積算状態を監視可能にするエンジンの稼働状態検出装置に関する。
【０００２】
【従来の技術】
エンジンの稼働状態を監視するのに、従来から図２に示すようなエンジンの稼働状態検出装置Ａが提案されている。このエンジンの稼働状態検出装置Ａは、エンジン１の稼働状態を検出する稼働状態検出手段２と、この稼働状態時に点灯するランプ３と、その稼働状態の時間を積算する稼働時間積算手段４と、稼働時間を設定するタイマ５と、稼働時間の積算値を表示する表示手段６とからなる。
【０００３】
このエンジンの稼働状態検出装置では、エンジン１の稼働状況に応じて回転速度計（タコメータ）に発生する回転速度信号を検出し、稼働状態検出手段２によりエンジン１が稼働していることを検知した場合にタイマ５を制御して、回転速度信号を検出している時刻つまりエンジン１が稼働している時刻の計測を行い、この時刻の計測終了時にタイマからのタイマ信号によってエンジン１の稼働時間を稼働時間積算手段４により積算し、この積算値をメータ装置などの表示手段６に表示させるという動作をする。
【０００４】
【発明が解決しようとする課題】
しかしながら、このような従来のエンジンの稼働状態検出装置Ａは、エンジン１の回転数に対して必ずしも比例関係にないエンジン１の稼働時間を計測するものであるため、エンジン１の稼働状況を正しく反映しているものとは言えず、従って、その稼働時間にもとづいて実施されるエンジンのメンテナンス、例えばエンジンオイルの交換、プラグの交換、タイヤの交換、さらには消耗部品の交換や補修のタイミングを誤ってしまうほか、この稼働時間を例えば燃費の目安として使用することはできない。
【０００５】
本発明は前記のような従来の問題を解決するものであり、エンジンの稼働状態を正確に検出でき、これによってエンジンのメンテナンスのタイミングを正しく設定できるエンジンの稼働状態検出装置を提供することを目的とする。
【０００６】
【課題を解決するための手段】
前記目的達成のために、請求項１の発明にかかるエンジンの稼働状態検出装置は、エンジンの回転数を測定する回転数測定手段と、該回転数測定手段で測定された回転数を積算する回転数積算手段と、該回転数積算手段で積算された回転数の積算値を表示する表示手段とを備えたことを特徴とする。これにより、エンジン自体の稼働状態をより詳しく把握でき、エンジン回転数の積算値利用による各種のエンジン特性の解析や燃費データの算出なども行うことができる。
【０００７】
また、請求項２の発明にかかるエンジンの稼働状態検出装置は、前記回転数積算手段から得られた設定時間ごとの回転数の積算値の平均値を求めて表示手段に表示させる平均回転数演算手段を設けたことを特徴とする。これにより、エンジンがどの回転数域で日常的に運転されたかなどのエンジン履歴を、運転者が容易に判定できる。
【０００８】
【発明の実施の形態】
以下に、本発明の実施の形態を図について説明する。図１は本発明のエンジンの稼働状態検出装置Ｂを示すブロック図であり、同図において、１はエンジン、７はこのエンジン１の回転数を測定する回転数測定手段で、例えばエンジンの回転に応じて発生するパルスの数を計数してエンジンの回転数とするものが用いられる。また、８は回転数測定手段７により測定されるエンジン１の回転数を積算する回転数積算手段である。
【０００９】
一方、回転数積算手段８には平均回転数演算手段９が接続されており、これが回転数積算手段８で得た設定時間ごとの回転数の積算値の平均値（平均回転数）を演算するように機能する。１０は前記設定時間ごとにタイマ信号を生成するタイマ、１１は前記回転数の積算値および平均回転数を並列してまたは交互に表示するＬＣＤなどの表示手段である。
【００１０】
このような構成になるエンジンの稼働状態検出装置Ｂでは、エンジン１の起動とともに、このエンジンの回転に応じて発生するパルスがパルスカウンタを持つ回転数測定手段７でカウントされて、このカウント数がエンジンの回転数に変換される。つまり、エンジンの回転数が測定される。さらに、このエンジンの回転数の情報は回転数積算手段８に入力されて、ここで回転数の積算値が求められ、この積算値は表示手段１１に入力されて表示される。
【００１１】
このエンジンの回転数の積算値表示によって、運転者はエンジンの稼働状態を直接的に、かつ詳細に把握することができ、従来のようにエンジンの稼働時間で稼働状態を判定する場合に比べて、より正確に稼働状態の判定を行うことができる。
【００１２】
従って、その正確な稼働状態の判定結果に従って、エンジンのメンテナンス、例えばエンジンオイルの交換、タイヤの交換その他の消耗部品の交換などのタイミングを最適に設定できるほか、燃費（効率）の目安としたり、燃料計として利用することも可能になる。
【００１３】
一方、前記平均回転数演算手段９は、タイマ１０が生成する設定時間ごとのタイマ信号にもとづいて、前記回転数積算手段８から得られる積算値の平均値を演算する。例えば、タイマ１０による時刻の計測開始から計測終了までの所定時間領域ごとに得られる回転数の積算値について、その平均値を演算する。これによって、どの回転数の領域でエンジンが日常的に駆動されてきたかのエンジンの履歴を把握でき、これによって、例えばエンジンオイルの交換タイミングを設定するための基準の一つとすることができる。
【００１４】
【発明の効果】
以上のように、本発明によれば、エンジンの回転数を測定する回転数測定手段と、この回転数測定手段で測定された回転数を積算する回転数積算手段とを設けて、該回転数積算手段で積算された回転数の積算値を表示手段に表示させるようにしたので、エンジン自体の稼働状態をより詳しく把握でき、エンジン回転数の積算値利用による各種のエンジン特性の解析や燃費データの算出、表示なども行うことができるという効果が得られる。
【００１５】
また、前記回転数積算手段から得られた設定時間ごとの回転数の積算値の平均値を求めて表示手段に表示させるようにしたので、エンジンがどの回転数域で日常的に運転されたかなどのエンジン履歴を、運転者が容易に判定できるという利点が得られる。
【図面の簡単な説明】
【図１】本発明の実施の一形態によるエンジンの稼働状態検出装置を示すブロック図である。
【図２】従来のエンジンの稼働状態検出装置を示すブロック図である。
【符号の説明】
１　エンジン
７　回転数測定手段
８　回転数積算手段
９　平均回転数演算手段
１１　表示手段
【図１】
2004100611.tif 000003
【図２】
2004100611.tif 000004